(57)【特許請求の範囲】
【請求項１】
装着時に装着者の体に密着するように形成された衣類であって、
所定の伸縮性を有する第１部分と、
装着者の肋骨近傍に相当する領域、および、装着者の鼠径部から大腿部内側付近に相当する領域に配置され、前記第１部分よりも伸縮性の高い第２部分とを備え、
前記第１部分および前記第２部分は、互いに異なる編物構造または織物構造を有し、
前記第２部分の丈方向先端部は尖った形状を有し、該第２部分の丈方向中央部は、前記丈方向先端部に対して幅広に形成されている、衣類。
【請求項２】
装着者の腕に相当する位置に設けられた袖部をさらに備え、
前記第２部分は、袖部の付根近傍にまで伸びるように形成されている、請求項１に記載の衣類。
【請求項３】
前記第１部分および前記第２部分は、互いに別部材で構成され、縫製または接着により一体化されている、請求項１または請求項２に記載の衣類。
【請求項４】
前記第１部分および前記第２部分は、一体編成されている、請求項１または請求項２に記載の衣類。
【請求項５】
装着時に装着者の体に密着するように形成された衣類であって、
所定の伸縮性を有する第１部分と、
装着者の肋骨近傍に相当する領域に配置され、前記第１部分よりも伸縮性の高い第２部分とを備え、
前記第１部分および前記第２部分は、互いに異なる編物構造または織物構造を有し、
前記第２部分の丈方向先端部は尖った形状を有し、該第２部分の丈方向中央部は、前記丈方向先端部に対して幅広に形成されている、衣類。
【請求項６】
所定の伸縮性を有する第１部分と、
装着者の鼠径部から大腿部内側付近に相当する領域に配置され、前記第１部分よりも伸縮性の高い第２部分とを備え、
前記第１部分および前記第２部分は、互いに異なる編物構造または織物構造を有し、
前記第２部分は、装着者の体の中心に関して対称に、かつ、下側に向かって間隔が狭くなる略Ｖ字形状に設けられている、衣類。
【請求項７】
前記装着者の肋骨近傍に相当する領域は、前記装着者の腋窩、大胸筋下部、肋骨弓および腸骨稜最高点に囲まれた領域である、請求項１から請求項５のいずれかに記載の衣類。
【請求項８】
前記装着者の鼠径部から大腿部内側付近に相当する領域は、前記装着者の上前腸骨棘、縫工筋、鼠徑靭帯、腸腰筋、恥骨筋、長内転筋、大内転筋、および薄筋を略覆う領域である、請求項１から請求項４、および請求項６のいずれかに記載の衣類。
【発明の詳細な説明】
【技術分野】
【０００１】
本発明は、衣類に関し、特に、装着時に装着者の体に密着するように形成された衣類に関する。
【背景技術】
【０００２】
特開２００５−１２０５１６号公報（特許文献１）には、装着者の鼠径部にゴム編み部を形成した下着が記載されている。特許文献１では、鼠径部および臀部における下着本体部の肌への密着度を向上できるとされている。
【０００３】
また、特開２００４−３３２１４４号公報（特許文献２）には、前脇パネル部を張りとコシを有する非伸縮性または難伸縮性の素材により構成した女性用衣類が記載されている。
【０００４】
また、特開２００３−２９３２０３号公報（特許文献３）には、人体の正面の鼠径部に沿った領域から、人体の側面の腸骨稜にあたる領域を通り、人体の背面の臀部下方部に至る領域の素材をスパッツ本体の素材よりも伸縮性が大きい高伸縮性素材を用いて構成した陸上競技用スパッツが記載されている。
【先行技術文献】
【特許文献】
【０００５】
【特許文献１】特開２００５−１２０５１６号公報
【特許文献２】特開２００４−３３２１４４号公報
【特許文献３】特開２００３−２９３２０３号公報
【発明の概要】
【発明が解決しようとする課題】
【０００６】
特許文献１のように、装着者の肌に衣類を密着させることにより、装着者が所定の動作を行ないにくくなる場合がある。たとえば、特許文献２のように、前脇パネル部を非伸縮性または難伸縮性の素材により構成することで、装着者が腕をまわす動作が行ないにくくなることが懸念される。
【０００７】
なお、特許文献３では、陸上競技用スパッツの所定の部位に伸縮性が大きい高伸縮性素材を設けることが記載されているが、特許文献３では、単に太ももを上げる際に最も大きく作動する大臀筋の下方領域の動きを妨げることがないとされているだけであり、特に開脚に関しての動きが考慮されておらず、必ずしも十分に装着者の動作に対する抵抗を低減できるとは限らない。
【０００８】
本発明は、上記のような問題に鑑みてなされたものであり、本発明の目的は、装着者が所定の動作を行ないやすい衣類を提供することにある。
【課題を解決するための手段】
【０００９】
本発明に係る衣類は、１つの局面では、装着時に装着者の体に密着するように形成された衣類であって、所定の伸縮性を有する第１部分と、装着者の肋骨近傍に相当する領域、および、装着者の鼠径部から大腿部内側付近に相当する領域に配置され、第１部分よりも伸縮性の高い第２部分とを備え、第１部分および第２部分は、互いに異なる編物構造または織物構造を有し、第２部分の丈方向先端部は尖った形状を有し、該第２部分の丈方向中央部は、丈方向先端部に対して幅広に形成されている。
【００１０】
好ましくは、上記衣類は、装着者の腕に相当する位置に設けられた袖部をさらに備え、第２部分は、袖部の付根近傍にまで伸びるように形成されている。
【００１１】
１つの例として、上記衣類において、第１部分および第２部分は、互いに別部材で構成され、縫製または接着により一体化されている。
【００１２】
他の例として、上記衣類において、第１部分および第２部分は、一体編成されている。
【００１３】
本発明に係る衣類は、他の局面では、装着時に装着者の体に密着するように形成された衣類であって、所定の伸縮性を有する第１部分と、装着者の肋骨近傍に相当する領域に配置され、第１部分よりも伸縮性の高い第２部分とを備え、第１部分および第２部分は、互いに異なる編物構造または織物構造を有し、第２部分の丈方向先端部は尖った形状を有し、該第２部分の丈方向中央部は、丈方向先端部に対して幅広に形成されている。
【００１４】
本発明に係る衣類は、さらに他の局面では、所定の伸縮性を有する第１部分と、装着者の鼠径部から大腿部内側付近に相当する領域に配置され、第１部分よりも伸縮性の高い第２部分とを備え、第１部分および第２部分は、互いに異なる編物構造または織物構造を有する。
【００１５】
上記衣類において、第２部分は、装着者の体の中心に関して対称に、かつ、下側に向かって間隔が狭くなる略Ｖ字形状に設けられている。
【００１６】
上記衣類において、装着者の肋骨近傍に相当する領域は、装着者の腋窩、大胸筋下部、肋骨弓および腸骨稜最高点に囲まれた領域である。
【００１７】
上記衣類において、装着者の鼠径部から大腿部内側付近に相当する領域は、装着者の上前腸骨棘、縫工筋、鼠徑靭帯、腸腰筋、恥骨筋、長内転筋、大内転筋、および薄筋を略覆う領域である。
【発明の効果】
【００１８】
本発明によれば、装着者が所定の動作を行ないやすい衣類を提供することができる。より具体的には、第１部分よりも伸縮性の高い第２部分を所定の位置に設けることにより、装着者が所定の動作を行ないやすくすることができる。ここで、第１部分および第２部分の編物構造または織物構造を同一のものとするのではなく、第１部分および第２部分の編物構造または織物構造を異ならせることにより第２部分の伸縮性を相対的に高くしているため、第２部分の身体への密着度を低下させることなく、第２部分の伸縮性を向上させることができる。
【００１９】
特に、装着者の肋骨近傍に相当する領域に伸縮性の高い第２部分を設けることにより、水泳動作における腕をまわす動作を行ないやすくすることができる。また、装着者の鼠径部から大腿部内側付近に相当する領域に伸縮性の高い第２部分を設けることにより、水泳動作における足を動かす動作を行ないやすくすることができる。
【図面の簡単な説明】
【００２０】
【図１】本発明の実施の形態１に係る水着を示す斜視図である。
【図２】本発明の実施の形態１に係る水着を示す側面図である。
【図３】本発明の実施の形態１に係る水着を示す背面図である。
【図４】本発明の実施の形態２に係る水着を示す斜視図である。
【図５】本発明の実施の形態２に係る水着を示す側面図である。
【図６】本発明の実施の形態２に係る水着を示す背面図である。
【図７】本発明の実施の形態３に係る水着を示す斜視図である。
【図８】本発明の実施の形態３に係る水着を示す側面図である。
【図９】本発明の実施の形態３に係る水着を示す背面図である。
【図１０】本発明の実施の形態４に係る水着を示す斜視図である。
【図１１】本発明の実施の形態４に係る水着を示す側面図である。
【図１２】本発明の実施の形態４に係る水着を示す背面図である。
【図１３】衣類設計支援装置の一例を示す図である。
【図１４】図１３に示す衣類設計支援装置で用いられるポリゴン座標の一例を示す図である。
【図１５】図１３に示す衣類設計支援装置で得られた出力データの一例を示す図である。
【図１６】高伸張部分が設けられる位置と装着者の体との関係を示した図（その１）であり、（ａ）は装着者の上半身を前方から見た状態を示し、（ｂ）は装着者の上半身を側方から見た状態を示す。
【図１７】高伸張部分が設けられる位置と装着者の体との関係を示した図（その２）であり、（ａ）は装着者の脚の付根部を前方から見た状態を示し、（ｂ）は装着者の脚の付根部を後方から見た状態を示す。
【発明を実施するための形態】
【００２１】
以下に、本発明の実施の形態について説明する。なお、同一または相当する部分に同一の参照符号を付し、その説明を繰返さない場合がある。
【００２２】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の構成を適宜組合わせることは、当初から予定されている。
【００２３】
まず最初に、後述する実施の形態１〜４に係る「衣類」としての水着の設計方法の一例について説明する。
【００２４】
図１３は、衣類設計支援装置の一例を示す図である。図１３を参照して、本実施の形態に係る衣類設計支援装置は、身体形状データ入力部１００と、ポリゴンデータ算出部２００と、身体動作情報入力部３００と、ポリゴンデータ変位算出部４００と、表示部５００とを含む。
【００２５】
身体形状データ入力部１００には、身体形状データが三次元座標として入力される。これにより、身体形状データ入力部１００には、ポリゴンデータ生成のための基礎データが入力される。ポリゴンデータ算出部２００は、身体形状データ入力部１００で入力された身体形状データに基づいて、衣服の設計対象である身体形状を表す三次元ポリゴンデータを生成する。身体動作情報入力部３００には、身体形状の動きを示す身体動作情報が、時系列データとして入力される。ポリゴンデータ変位算出部４００は、ポリゴンデータ算出部２００において算出されたポリゴンデータが、身体動作情報入力部３００に入力された身体動作情報に応じて、時系列にどのように変位するのか（たとえば図１４に示す状態）を算出する。
【００２６】
表示部５００は、ポリゴンデータ変位算出部４００により算出されたデータに基づいて、たとえば、装着者の体のどの部分に大きな伸長が生じているかを表示することが可能である。大きな伸長が生じている部分には、伸びやすい素材を設けることにより、上記特定の身体動作が行ないやすくなる。
【００２７】
図１５は、水泳動作を行なう際に生じる伸長を、図１３に示す衣類設計支援装置により算出した結果を示す図である。なお、図１５に示す結果は、身体動作情報として四泳法（自由形、平泳ぎ、背泳、バタフライ）の情報を入力して得られた計算結果の合計を示したものである。
【００２８】
図１５では、特に大きな伸長が生じている部分にハッチングを付して示している。なお、図１５（ａ）は、身体を前方から見た状態を示し、図１５（ｂ）は、身体を後方から見た状態を示す。
【００２９】
本願発明者らは、図１５に示す結果において、特に、装着者の大胸筋の下部（Ａ部）および内股部（Ｂ部）において、大きな伸長が生じていることに着目した。より具体的には、後述する実施の形態１〜４では、装着者の肋骨近傍（図１６に明示する腋窩１００Ａ、大胸筋下部１００Ｂ、肋骨弓１００Ｃおよび腸骨稜最高点１００Ｄに囲まれた領域）、および、装着者の鼠径部から大腿部内側付近（図１７に明示する上前腸骨棘１００Ｅ、縫工筋１００Ｆ、鼠徑靭帯１００Ｇ、腸腰筋１００Ｈ、恥骨筋１００Ｉ、長内転筋１００Ｊ、大内転筋１００Ｋ、および薄筋１００Ｌを略覆う領域）において、伸びやすい素材で水着を構成し、装着者の動きを阻害しないようにしている。すなわち、上記伸びやすい素材は、上半身と下半身とに分かれて設けられる。上半身に設けられる素材の輪郭は、図１６に示すように、腋窩１００Ａから大胸筋下部１００Ｂにまで延び、その後、肋骨弓１００Ｃに略沿いながら、腸骨稜最高点１００Ｄに達し、腋窩１００Ａに戻る。また、下半身に設けられる素材の輪郭は、図１７に示すように、上前腸骨棘１００Ｅから鼠徑靭帯１００Ｇに沿って、腸腰筋１００Ｈ、恥骨筋１００Ｉ、長内転筋１００Ｊ、および薄筋１００Ｌ上を通過し、大内転筋１００Ｋ上にまで回り込む。そして、縫工筋１００Ｆの下縁に沿って上前腸骨棘１００Ｅにまで戻る。
【００３０】
なお、上記伸びやすい素材の輪郭の少なくとも一部は、曲線状に形成される。このようにすることで、隣接する素材との縫合線を曲線状にすることができるので、生地の伸びやすさを最大限に生かすことが可能となる。
【００３１】
従来の水着においても、脇の下に伸びやすい素材を用いることは行なわれてきた。これにより、装着者が腕を上げる動作が行ないやすくなる。しかし、たとえば、自由形やバタフライなどの泳法では、腕を上げる前に肩を上げる動作を行なうため、単に脇下部を伸びやすくするだけでは、腕を上げる動作を行ないやすくすることはできない。
【００３２】
これに対し、後述する実施の形態１〜４に係る水着では、装着者の肋骨付近に他の部分よりも伸びやすい高伸張部分を設けることにより、腕を上げる前の肩を上げる動作が行ないやすくなり、特に水泳動作における腕をまわす動作が行ないやすくなる。この結果、泳ぎやすい水着が提供される。
【００３３】
（実施の形態１）
図１〜図３は、実施の形態１に係る水着を示す図である。なお、図１は、水着１の斜視図であり、図２は、水着１の側面図であり、図３は、水着１の背面図である。
【００３４】
図１〜図３を参照して、本実施の形態に係る水着１は、装着者の体に密着する水着であり、上半身本体部１０と、高伸張部分２０と、袖部３０と、下半身本体部４０と、ファスナ５０とを含む。
【００３５】
上半身本体部１０は、前身頃部１１と、後身頃部１２とを含む。また、高伸張部分２０は、脇身頃部２１と、内股部２２とを含む。また、下半身本体部４０は、前パンツ部４１と、後パンツ部４２とを含む。
【００３６】
高伸張部分２０は、上半身本体部１０および下半身本体部４０に対して伸びやすい、すなわち、伸縮性の高い素材で構成されている。換言すれば、上半身本体部１０および下半身本体部４０は、緊締力の強い強緊締素材で構成され、高伸張部分２０は、緊締力の弱い弱緊締素材で構成されている。
【００３７】
高伸張部２０のうち、脇身頃部２１は、装着者の大胸筋の下部、すなわち、肋骨近傍に相当する領域に設けられている。前身頃部１１に対する脇身頃部２１の境界線は、装着者の体の中央側に凸な曲線形状を有している。
【００３８】
また、高伸張部２０のうち、内股部２２は、装着者の体の中心に関して対称に、かつ、下側に向かって間隔が狭くなる略Ｖ字形状に設けられている。内股部２２は、装着者の体の丈方向に長い細長形状を有している。
【００３９】
脇身頃部２１および内股部２２は、いずれも、その丈方向の両先端部が尖った形状を有している。また、脇身頃部２１および内股部２２は、いずれも、その丈方向中央部が丈方向先端部に対して幅広に形成されている。脇身頃部２１および内股部２２の丈方向先端部を尖った形状とすることで、高伸張部２０と上半身本体部１０および下半身本体部４０との境界部分で弛みが生じることを抑制することができる。他方、脇身頃部２１および内股部２２の丈方向中央部を幅広に形成することで、高伸張部２０の高い伸張性を確保することができる。
【００４０】
弱緊締素材からなる脇身頃部２１と内股部２２との間は、強緊締素材からなる上半身本体部１０により隔てられている。また、脇身頃部２１および内股部２２は、それぞれ左右２片の弱緊締素材片で構成されている。すなわち、高伸張部分２０は、２×２＝４箇所に分かれて形成されている。
【００４１】
装着者の身体の幅方向に見れば、内股部２２は、脇身頃部２１に対して身体の中央側に設けられている。また、装着者の身体の身長方向に見れば、脇身頃部２１の下端と内股部２２の上端とが略同じ高さに位置している。
【００４２】
典型的な例では、上半身本体部１０および下半身本体部４０（強緊締素材）と高伸張部分２０（弱緊締素材）とは、縫製によって一体化されている。しかし、緯編物の場合は、後に説明するように、強緊締素材と弱緊締素材とを一体編成することもできる。
【００４３】
本実施の形態において、強緊締素材（上半身本体部１０および下半身本体部４０）および弱緊締素材（高伸張部分２０）は、ストレッチ素材である。上述のように、弱緊締素材は、強緊締素材に対してストレッチ性が高い（すなわち、小さい力で伸びやすい）性質を有している。
【００４４】
強緊締素材および弱緊締素材の上記のようなストレッチ特性を出すためには、たとえば、弾性糸を編物または織物の構成糸に用いた場合、一例として次のような手法を採ることが考えられる。
（１）強緊締素材では、弱緊締素材と比べて、弾性糸の構成比率を高くする。
（２）強緊締素材では、弱緊締素材と比べて、弾性糸の繊度を太くする。
（３）強緊締素材では、弱緊締素材と比べて、織物の場合は経糸および／または緯糸密度
を高くし、編み物の場合は編み密度を高くする。
（４）強緊締素材では、弱緊締素材と比べて、弾性糸の張力を高くして織物または編物を製造する。
（５）強緊締素材では、弱緊締素材と比べて、生地の厚さを厚くして織物または編物を製造する。
【００４５】
上述した強緊締素材および弱緊締素材を構成するストレッチ素材は、経方向及び緯方向に伸縮する２ウェイストレッチ編物および２ウェイストレッチ織物から選ばれる少なくとも一つの布帛（ふはく）であることが好ましい。
【００４６】
上記の２ウェイストレッチ編物または織物は、ポリエステル繊維糸と弾性糸とを主成分構成糸とするか、または、ナイロン繊維糸と弾性糸とを主成分構成糸としてもよい。別の構成としては、コットン（木綿）と弾性糸とを主成分構成糸としてもよい。ここで、主成分構成糸とは、合計すると８０重量％以上になることをいう。ポリエステル繊維糸を用いた場合は、汗をかいても乾き易い。ナイロン繊維糸を用いた場合は、軟らかなタッチの布帛となる。
【００４７】
上記の２ウェイストレッチ編物または織物の組織は、どのようなものであってもよい。織物としては一般的に良く知られている平織、斜文織、朱子織の３原組織の他、変化織であってもよい。また、編物として一般的に良く知られているラッセル経編機によって編成される編物、トリコット経編機によって編成される編物及びニット横編み機によって編成される編物などであってもよい。２ウェイストレッチ編物として採用可能なものとして、たとえば、トリコット経編機によって編成されるハーフ組織の編物やラッセル経編機によって編成されるパワーネット組織の編物などを挙げることができる。ニット緯編物としては、例えば平編（天竺編）、ゴム編、パール編、スムース編（両面編）など、どのような組織でもよい。また、ニット横編み機によって編成される編物は、丸編機又は横編機によって編成される編物であってもよい。なお、緯編ニットの場合は、縫製を必要としないで、弱緊締素材と強緊締素材とを一体化編成することも可能である。たとえば、横編の無縫製機（島精機製作所製）の“ＦＩＲＳＴ−Ｘ”という装置があり、これを用いて身生地部と袖部とを同時に編成し、無縫製ニット製品を製造できる。
【００４８】
さらに、イタリアのサントニ（ＳＡＮＴＯＮＩ）社製のフルコンピュータ制御の“シームレス・ボディ・インナー編み機”と呼ばれる装置により、強緊締素材および弱緊締素材の組み合わせをシームレスで筒状に編成し、身生地部と袖部とすることも可能である。
【００４９】
上記の織物または編物としては、ポリウレタン糸などの伸縮性を有する弾性糸を少なくとも一部に使用したものであることが好ましい。
【００５０】
上記の弾性糸は、ポリウレタン系弾性糸およびポリエステル系弾性糸から選ばれる少なくとも一つであることが好ましい。これらの素材は、ストレッチ性が高く、スポーツ衣料に適しているからである。この弾性糸は、ベアヤーン（裸糸）又は表面にポリエステル繊維もしくはナイロン繊維が被覆されたカバードヤーンのどちらでもよい。
【００５１】
高捲縮仮撚加工を施して伸縮性を持たせたポリエステル、ナイロンなどの高捲縮仮撚加工糸を生地の少なくとも一部あるいは全部に使用した生地も使用可能である。また、単純に上記の伸縮性のあるニットを複数枚数重ねて使用することも可能である。さらに、上記の伸縮性のあるニット生地どうしをラミネート加工して二層にした二層ラミネート生地、伸縮性のあるポリウレタンシートを上記の伸縮性のあるニット生地ではさみ込みラミネート加工して三層にした三層ラミネート生地も使用可能である。
【００５２】
生地素材に「強弱」の緊締力を持たせ、強緊締素材および弱緊締素材とする方法としては、ポリウレタン糸、高捲縮仮撚加工糸（以下、伸縮糸とする。）の混率の「大小」でそれぞれ生地素材に「強弱」の緊締力を持たせることが考えられる。混率に変化を与える方法としては、伸縮糸の太さを「太細」と変えることで混率の「大小」を出す方法、伸縮糸の太さは同じで生地中に配する割合を「多少」と変えることで混率の「大小」を出す方法がある。伸縮糸の混率が一定の場合に、編密度を「密疎」と変えることによっても、生地素材に「強弱」の緊締力を持たせることが可能である。さらに、伸縮糸の種類を変えた生地を使用するか、ラミネート加工した生地とラミネート加工していない生地を用いるか、または同一の生地の重ねる枚数を変えることによっても、生地に「強弱」の緊締力を持たせることが可能である。
【００５３】
上述のように、強緊締素材および弱緊締素材における「強弱」の緊締力は、一定加重時の生地の伸長率の大小で確認することができる。すなわち、緊締力の強い生地は伸長率が小さく、弱い生地は伸長率が大きい。すなわち、本明細書において、緊締力とは、伸長に対する素材の抵抗力のことである。
【００５４】
ストレッチ性及び緊締力を表す伸長率の測定には、ＴＥＮＳＩＬＯＮ万能型引張試験機（ＵＴＭ−III−２００、東洋ボールドウイン社製）を用いた。ここで、引張強度は２０ｃｍ／分とし、試料生地の大きさは、巾５ｃｍ、長さ３０ｃｍとし、つかみ間隔は２０ｃｍとした。また、緊締力を測定する際の加重は、４．９Ｎ（５００ｇｆ）、ストレッチ性を測定する際の加重は、１７．７Ｎ（１８００ｇｆ）とし、生地素材の経緯方向について測定した。
【００５５】
弱緊締素材の伸長率（丈方向）は、素材の５ｃｍ幅に対して４．９Ｎ（５００ｇｆ）加重した時の伸張量が、強緊締素材のそれに対して２倍以上の範囲であることが好ましい。また、弱緊締素材の伸長率（丈方向）は、素材の５ｃｍ幅に対して１７．７Ｎ（１８００ｇｆ）加重した時の伸張量が、強緊締素材のそれに対して１．３倍以上の範囲であることが好ましい。ここで、丈方向とは、生地の経緯方向に関わらず、水着１の出来上がり製品における丈方向を意味する。
【００５６】
上半身本体部１０および下半身本体部４０（強緊締素材）と高伸張部分２０（弱緊締素材）とを別部材として形成し、縫着によって一体化する場合、縫着方法としては、たとえば、本縫い、環縫い、１本針オーバーロック、２本針オーバーロック、フラットシーマなどの縫目を形成するミシンで縫着する方法が挙げられる。１本針オーバーロック、２本針オーバーロック、フラットシーマを採用した場合は、縫目のストレッチ性も高くなり、着用時の違和感が抑制される。しかし、縫目の種類は特にこれらに限定されるものではない。
【００５７】
上半身本体部１０および下半身本体部４０（強緊締素材）と高伸張部分２０（弱緊締素材）とを別部材として形成し、接着によって一体化する場合、接着方法としては、たとえば、熱圧着法が挙げられる。この場合、一体化したい二種類の生地（部材）にのりしろを設け、熱によって融解し、冷却後生地に浸透して凝固するポリウレタン、またはシリコンなどの樹脂製熱融解性のシームテープをのりしろの生地の間にはさみ、熱プレスすることで生地を接着する。なお、接着の場合も、縫着の場合と同様に、のりしろにストレッチ性をもたせ、着用時の違和感をなくすことが望ましい。
【００５８】
本実施の形態によれば、上半身本体部１０および下半身本体部４０よりも伸縮性の高い高伸張部分２０を所定の位置に設けることにより、水泳動作における腕をまわしたり、足を動かしたりする動作が行ないやすい水着を提供することができる。ここで、上半身本体部１０および下半身本体部４０と高伸張部分２０との編物構造または織物構造を同一のも
のとするのではなく、それらの編物構造または織物構造を互いに異ならせることによって、高伸張部分２０の伸縮性を相対的に高くしているため、高伸張部分２０の身体への密着度を低下させることなく、高伸張部分２０の伸縮性を向上させることができる。
【００５９】
上述した内容について要約すると、以下のようになる。すなわち、本実施の形態に係る水着は、装着時に装着者の体に密着するように形成されたものであって、所定の伸縮性を有する「第１部分」としての上半身本体部１０および下半身本体部４０と、装着者の肋骨近傍に相当する領域（脇身頃部２１）、および、装着者の鼠径部から大腿部内側付近に相当する領域（内股部２２）に配置され、上半身本体部１０および下半身本体部４０よりも伸縮性の高い「第２部分」としての高伸張部分２０とを備える。上半身本体部１０および下半身本体部４０と高伸張部分２０とは、互いに異なる編物構造または織物構造を有する。
【００６０】
水泳動作は、他の運動に比べて、より全身を使う全身運動であり、様々な運動を含んでいるため、水泳動作の一部に近い動作は、他の運動でも実現され得る。なお、本実施の形態では、「衣類」の一例として、競泳用の水着の例について説明したが、本発明の範囲は、水着に限定されるものではなく、たとえば、レオタードや陸上競技用スパッツなど、その他の「衣類」に本発明の思想を適用することも可能である。
【００６１】
（実施の形態２）
図４〜図６は、実施の形態２に係る水着を示す図である。なお、図４は、水着２の斜視図であり、図５は、水着２の側面図であり、図６は、水着２の背面図である。
【００６２】
図４〜図６を参照して、本実施の形態に係る水着２は、実施の形態１に係る水着１の変形例であって、袖部を有しないことを特徴とするものである。
【００６３】
なお、上記以外の事項については、実施の形態１と同様であるので、詳細な説明は繰り返さない。
【００６４】
（実施の形態３）
図７〜図９は、実施の形態３に係る水着を示す図である。なお、図７は、水着３の斜視図であり、図８は、水着３の側面図であり、図９は、水着３の背面図である。
【００６５】
図７〜図９を参照して、本実施の形態に係る水着３は、実施の形態１，２に係る水着１，２の変形例であって、上衣３Ａと下衣３Ｂとの２ピース構造としたことを特徴とするものである。上衣３Ａは、前身頃部１０と後身頃部１１とを含む。下衣３Ｂは、前パンツ部４１と、後パンツ部４２と、前パンツ中央部４３とを含む。高伸張部２０における脇身頃部２１は、上衣３Ａに設けられる。また、内股部２２は、下衣３Ｂに設けられる。
【００６６】
なお、上記以外の事項については、実施の形態１，２と同様であるので、詳細な説明は繰り返さない。
【００６７】
（実施の形態４）
図１０〜図１２は、実施の形態４に係る水着を示す図である。なお、図１０は、水着４の斜視図であり、図１１は、水着４の側面図であり、図１２は、水着４の背面図である。
【００６８】
図１０〜図１２を参照して、本実施の形態に係る水着４は、実施の形態１〜３に係る水着４の変形例であって、肩および背中部分を紐状に形成していることを特徴とするものである。
【００６９】
なお、上記以外の事項については、実施の形態１〜３と同様であるので、詳細な説明は繰り返さない。
【００７０】
（効果の確認）
本願発明者らは、上述した各実施の形態の効果を確認するため、後述の実施例に示す縫着方法と各素材を用いて、上述した各実施の形態に示した水着（実施の形態２、実施の形態３の下衣３Ｂ、実施の形態４）を作製した上で、下記のアンケート調査を行なった。
【００７１】
ここでは、実施の形態３の下衣３Ｂを男子競泳選手８名に着用させるとともに、実施の形態２および実施の形態４の水着を各々女子選手４名に着用させ、実際に水泳動作を行なわせた上で、表１に示すアンケート調査を行なう。
【００７２】
【表１】
0005196492.tif 000002
【００７３】
表１に示すように、アンケートは、『動かしやすい・問題ない』または『動かしにくい』の２段階評価であり、比較対象は、従来、各選手が着用している水着とした。実施形態によっては、着用したことがない選手がいる場合がある。その場合は、主観的に判断させた。アンケート結果は表２および表３に示すとおりである。
【００７４】
【表２】
0005196492.tif 000003
【００７５】
【表３】
0005196492.tif 000004
【００７６】
表２および表３に示す結果から明らかなとおり、男子では、実施の形態３の下衣３Ｂを着用した結果、脚が開きやすいまたは問題ないという意見が、全体の７５％を占めた。また、女子では、実施の形態２の水着を着用した結果、腕が動かしやすいまたは問題ないという意見が、全体の７５％を占め、脚が開きやすいまたは問題ないという意見が、全ての被験者から得られた。さらに、実施の形態４の水着を着用した結果、腕が動かしやすいまたは問題ないという意見、および、脚が開きやすいまたは問題ないという意見が、いずれも、全ての被験者から得られた。いずれの実施形態においても、過半数以上の選手がその効果を体感できた。
【００７７】
以上の結果から、上述した各実施の形態に係る水着は、水泳動作時において腕が動かしやすい、脚が開きやすいという効果を奏することが確認できた。
【実施例】
【００７８】
以下、本発明に係る衣服の１つの実施例について説明する。本実施例に係る衣服（運動用衣服）は、上述した実施の形態１に係る水着１（図１〜図３）の一例である。
【００７９】
本実施例では、各部材は相互に縫製により一体化される。この縫製においては、フラットシーマミシンを用い、針糸にポリエステルスパンライクフィラメント糸、上かがり糸と下かがり糸にウーリーナイロン糸を用いてフラットシーマの縫目で縫着した。なお、図１〜図３に記載の各部材は、一つの部材を複数のパーツで形成することも可能であし、複数の部材を一つのパーツにまとめて形成することも可能である。
【００８０】
上半身本体部１０および下半身本体部４０を構成する強緊締素材としては、繊度が３３デシテックス（ｄｔｅｘ）のポリエステルフィラメント糸と、繊度が５６デシテックス（ｄｔｅｘ）のポリウレタン弾性糸の交編ハーフトリコット組織で、混率はポリエステル６９重量％、ポリウレタン３１重量％、トリコット機のゲージ数４０Ｇのものを用いた。緊締力を表す４．９Ｎ（５００ｇｆ）加重時の伸長率は経方向で６７％、緯方向で４３％である。また、ストレッチ性を表わす１７．７Ｎ（１８００ｇｆ）加重時の伸長率は経方向で１６２％、緯方向で１１３％であった。単位面積当たりの重量（目付）は、２２５ｇ／ｍ2であった。
【００８１】
高伸張部分２０を構成する弱緊締素材としては、繊度が３３デシテックス（ｄｔｅｘ）のポリエステルフィラメント糸と、繊度が３３デシテックス（ｄｔｅｘ）のポリウレタン弾性糸の交編ハーフトリコット組織で、混率はポリエステル８０重量％、ポリウレタン２０重量％、トリコット機のゲージ数３２Ｇのものを用いた。緊締力を表す４．９Ｎ（５００ｇｆ）加重時の伸長率は経方向で１３１％、緯方向で１７１％であった。また、ストレッチ性を表わす１７．７Ｎ（１８００ｇｆ）加重時の伸長率は経方向で１３２％、緯方向で１９６％であった。単位面積当たりの重量（目付）は、１８０ｇ／ｍ2であった。
【００８２】
本実施例においては、強弱緊締素材の緯方向を出来上がり製品の丈方向に配置するようにしたので、素材の５ｃｍ幅における４．９Ｎ（５００ｇｆ）加重時の弱緊締素材の伸長率は、同条件下の強緊締素材の伸張率に対して、丈方向で約３倍となった。また、素材の５ｃｍ幅における１７．７Ｎ（１８００ｇｆ）加重時の弱緊締素材の伸長率は、同条件下の強緊締素材の伸張率に対して、丈方向で約１．７倍となった。
【００８３】
以上、本発明の実施の形態および実施例について説明したが、今回開示された実施の形態および実施例はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００８４】
１，２，３，４  水着、３Ａ  上衣部、３Ｂ  下衣部、１０  上半身本体部、１１  前身頃部、１２  後身頃部、２０  高伸張部分、２１  脇身頃部、２２  内股部、３０  袖部、４０  下半身本体部、４１  前パンツ部、４２  後パンツ部、４３  前パンツ中央部、５０  ファスナ、１００  身体形状データ入力部、２００  ポリゴンデータ算出部、３００  身体動作情報入力部、４００  ポリゴンデータ変位算出部、５００  表示部、１００Ａ  腋窩、１００Ｂ  大胸筋下部、１００Ｃ  肋骨弓、１００Ｄ  腸骨稜最高点、１００Ｅ  上前腸骨棘、１００Ｆ  縫工筋、１００Ｇ  鼠徑靭帯、１００Ｈ  腸腰筋、１００Ｉ  恥骨筋、１００Ｊ  長内転筋、１００Ｋ  大内転筋、１００Ｌ  薄筋。
【図１】
0005196492.tif 000005
【図２】
0005196492.tif 000006
【図３】
0005196492.tif 000007
【図４】
0005196492.tif 000008
【図５】
0005196492.tif 000009
【図６】
0005196492.tif 000010
【図７】
0005196492.tif 000011
【図８】
0005196492.tif 000012
【図９】
0005196492.tif 000013
【図１０】
0005196492.tif 000014
【図１１】
0005196492.tif 000015
【図１２】
0005196492.tif 000016
【図１３】
0005196492.tif 000017
【図１４】
0005196492.tif 000018
【図１５】
0005196492.tif 000019
【図１６】
0005196492.tif 000020
【図１７】
0005196492.tif 000021